(57)【要約】【課題】押し潰し・緩め操作によりマイナスイオンが放出するようにした握力増強リングを提供する。【解決手段】シリコンゴム１でリング状に成形した握力増強リング１００であって、上記シリコンゴム内にトルマリン粉末３を含有させる。手に持った握力増強リング１００を握り潰し・緩める動作を繰り返すことにより握力増強作用が得られるとともに、シリコンゴム内に混入させたトルマリン粉体３が手の平の体温や握り潰しの圧力により遠赤外線Ｓを発生し、手の平から出る汗の水分が電荷により分解されてマイナスイオン−ｅを発生し、握力増強作用とともに血行促進作用が発揮される。【選択図】　　図２
2004073517.tif 000002
【特許請求の範囲】
【請求項１】
シリコンゴム製で手の平内に納まる程度の大きさを有しリング状に形成された握力増強リングであって、上記シリコンゴムにトルマリン粉体を含有させたことを特徴とする握力増強リング。
【請求項２】
上記シリコンゴム内にトルマリン粉体を０．２〜４重量％混入させたことを特徴とする請求項１記載の握力増強リング。
【発明の詳細な説明】
【０００１】
【発明の属する技術分野】
本発明は、握力増強リングに係り、特に、握り潰し・緩め操作の繰り返しによりマイナスイオンと遠赤外線が放出されるようにしたものに関する。
【０００２】
【従来の技術】
従来から、弾力のあるシリコンゴム材でリング状に成形した握力増強リングが提供されている。この握力増強リングは、手の平内に握ったリングを握り潰すようにして圧縮させ、緩めるとリングが反発して円形に復元し、再び握り潰すという作用を繰り返すことで握力を増強するものである。
【０００３】
上記握力増強リングは、スポーツ用として血行を促進しながらの握力増強に用いるほか、リハビリ用具としても使用できる。また、リング状であるため、携帯性に優れているとともに、ハンガー等への吊り掛けにも便利である。
【０００４】
最近は、体の疲れを癒す効果があるとされるマイナスイオンや血行促進効果があるとされる遠赤外線の効用を求められるようになっている。しかしながら、上記握力増強リングでは、このようなマイナスイオンや遠赤外線による効用は望めないものであった。
【０００５】
【発明が解決しようとする課題】
本発明は、上記従来の握力増強リングが持つ問題点に鑑みてなされたものであって、その目的は使用時の握り潰し・緩め操作によりマイナスイオンや遠赤外線が放出されるようにした握力増強リングを提供することにある。
【０００６】
【課題を解決するための手段】
上記目的を達成すべく本発明の請求項１記載の握力増強リングは、シリコンゴム製で手の平内に納まる程度の大きさを有しリング状に形成された握力増強リングであって、上記シリコンゴムにトルマリン粉体を含有させたことを特徴とするものである。
【０００７】
また、請求項２記載の握力増強リングは、請求項１記載の握力増強リングにおいて、上記シリコンゴム内にトルマリン粉体を０．２〜４重量％混入させたことを特徴とするものである。
【０００８】
【作用】
本発明の請求項１の握力増強リングの場合には、手に持った握力増強リングを握り潰し・緩め動作を繰り返すことにより握力増強作用が得られる。更に、シリコンゴム材内に混入させたトルマリン粉体が手の平の体温や握り潰しの圧力により遠赤外線を発生する。また、手の平から出る汗の水分により、表面に発生した電荷による分解作用でマイナスイオンを発生する。これにより、握力増強リングからマイナスイオンと遠赤外線が発散され握力増強作用とともに血行促進作用が発揮される。尚、トルマリン粉体を０．２〜４重量％の範囲で混入させると上記の作用が効果的に発揮されることが判明している。
【０００９】
【発明の実施の形態】
以下、図１乃至図５を参照して本発明の実施の形態を説明する。まず、握力増強リング１００は、シリコンゴム製で、手の平内に握り込められる大きさのリング状に成形される。上記シリコンゴム材１のゴム硬度としては１５〜９０°の範囲のものが使用可能であるが、例えば、シリコンゴム材のゴム硬度を６０°とすれば、弾発力が強くなって男性向きの握力増強リングが得られる。尚、シリコンゴム材を例えばグリーン色に着色させれば、色により、ゴム硬度６０°と把握できる。また、シリコンゴム材のゴム硬度を４０°とすれば、弾発力がやや弱くなって女性や子供向きの握力増強リングが得られる。尚、シリコンゴムを例えばレモン色に着色させれば、色により、ゴム硬度４５°と把握できる。
【００１０】
このシリコンゴム材１内にトルマリン粉体３を０．２〜４重量％含有させる。トルマリン粉体３はクリーム色を呈し、シリコンゴムと混練しても問題はない。トルマリン粉体３の量は０．２％重量以下ではマイナスイオンと遠赤外線の発生量が減少して効果が発揮できなくなるものであり、一方、トルマリン粉体３を４重量％以上含有させても上記効果に差異はなく、かえって、色が黒くなって好ましくない。
【００１１】
次に、上記シリコンゴム材１の製造工程の一例を、図３により説明する。まず、シリコンゴム１の「溶融」Ａを行う。続いて、クリーム色のトルマリン（電気石）粉末３をシリコンゴム材１に「混入」Ｂする。そして、練り混んだ後、型に注入して「成形・冷却」Ｃし、その後に、「枠外し」Ｄし、「完成品」１となる。
【００１２】
上記トルマリン粉体３は、電気石と称され、外部電界が存在している限り正電荷の中心と負電荷の中心とが自発的に電気分極を有する個体誘電体として天然に存在する鉱石である。このトルマリン（電気石）を粉砕して粒径０．５〜５０μの粉状にしたものをシリコンゴムに混合している。
【００１３】
上記トルマリン粉体３は、わずかな温度差や圧力を加えるだけで結晶表面に電荷が発生する。温度変化により表面に電荷（ピロ電気）を生じ遠赤外線を発生する焦電効果や、加圧により表面に電荷（ピエゾ電気）を生じ遠赤外線を発生する圧電効果が発揮され、また、周囲に水分があると上記帯電した電荷の作用で水が分解されてマイナスイオンが発生する。
【００１４】
上記握力増強リング１００は、上記の構成からなり、次のようにして使用される。図４に示すように、手Ｈに持った握力増強リング１００を握り潰し・緩め動作を繰り返すことにより握力増強作用が発揮される。そして、シリコンゴム１内に０．２〜４重量％混入させたトルマリン粉体３が手の平の体温により昇温され、また、握り潰し・緩め動作により加圧され、結晶表面に電荷が発生し、その表面から遠赤外線Ｓを発生する。更に、手Ｈの平から出る汗の水分により、発生した電荷の作用でマイナスイオン−ｅを発生させる。イオン計測器によるマイナスイオン量の測定結果によると、トルマリン粉体３を４重量％混入した製品においてマイナスイオン数１００個／ｃｃの発生が確認された。
【００１５】
しかして、上記握力増強リング１００によると、トルマリン粉体３を含有させたことにより、使用時にマイナスイオン−ｅと遠赤外線Ｓを発散するから、握力増強とともに血行促進作用が発揮される。したがって、上記握力増強リングの使用例として、握力アップを必要とするスポーツトレーニング用に使用できるばかりでなく、老化防止の為の運動用や、握力低下によるリハビリ用として使用する場合に効果がある。
【００１６】
【発明の効果】
以上詳述したように本発明の握力増強リングによると、トルマリン粉体が手の平の体温や押し潰し・緩め動作による圧力により遠赤外線を発生し、更に手の平から出る汗の水分を発生した電荷により分解してマイナスイオンを発生するので、握力増強作用とともに血行促進作用が発揮される。
【図面の簡単な説明】
【図１】本発明の第１実施形態を示す図で、握力増強リングの斜視図である。
【図２】本発明の第１実施形態を示す図で、握力増強リングの断面図である。
【図３】本発明の第１実施形態を示す図で、握力増強リングの製造工程図である。
【図４】本発明の第１実施形態を示す図で、握力増強リングの使用時の斜視図である。
【図５】本発明の握力増強リングによるマイナスイオンの発生状況の断面図である。
【符号の説明】
１　　　シリコンゴム
３　　　トルマリン粉体
Ａ　　　溶融
Ｂ　　　混入
Ｃ　　　成形・冷却
Ｄ　　　枠外し
−ｅ　　マイナスイオン
Ｓ　　　遠赤外線
１００　　握力増強リング
【図１】
2004073517.tif 000003
【図２】
2004073517.tif 000004
【図３】
2004073517.tif 000005
【図４】
2004073517.tif 000006
【図５】
2004073517.tif 000007